(57)【要約】【課題】  本発明は、省スペース且つ簡易な構造で風向制御の性能を向上させた空気調和機を提供することを課題とする。【解決手段】  上記課題を解決するために本発明に係る空気調和機は、風を送り出す送風機と、送り出される風を左右方向に風向制御する風向板と、を備えた空気調和機であって、風向板は、少なくとも、１つの回転軸に対して複数の羽根を備える第１風向板ユニット及び第２風向板ユニットを備え、送り出される風を左右方向に風向制御する際に、第１風向板ユニットと第２風向板ユニットの隣り合う羽根が風向方向へ向けて一列に並ぶように構成される。本発明によれば、省スペース且つ簡易な構造で風向制御の性能を向上させた空気調和機を提供することができる。【選択図】図５
2010085070.tif 000002
【特許請求の範囲】
【請求項１】
風を送り出す送風機と、送り出される風を左右方向に風向制御する風向板と、を備えた空気調和機において、
前記風向板は、少なくとも、１つの回転軸に対して複数の羽根を備える第１風向板ユニット及び第２風向板ユニットを備え、
送り出される風を左右方向に風向制御する際に、前記第１風向板ユニットと前記第２風向板ユニットの隣り合う羽根が風向方向へ向けて一列に並ぶように構成されることを特徴とする空気調和機。
【請求項２】
請求項１において、前記第１風向板ユニットと前記第２風向板ユニットのそれぞれの前記回転軸が回転することにより、前記第１風向板ユニット及び前記第２風向板ユニットのそれぞれの羽根が風向方向へ向けられることを特徴とする空気調和機。
【請求項３】
請求項１又は２において、前記第１風向板ユニット及び前記第２風向板ユニットは、前記空気調和機の室内ユニットの長手方向に隣り合うように配置されることを特徴とする空気調和機。
【請求項４】
請求項１乃至３の何れかにおいて、前記第１風向板ユニットと前記第２風向板ユニットの隣り合う羽根が風向方向へ向けて一列に並ぶ際の前記回転軸の回転角度を（回転角度）とし、前記第１風向板ユニットと前記第２風向板ユニットの前記回転軸間の距離を（回転軸間距離）とし、前記回転軸に垂直な任意の断面における前記第１風向板ユニット及び前記第２風向板ユニットの羽根の長さを（羽根長さ）とすると、
（羽根長さ）＜sin（回転角度）×（回転軸間距離）／２
であることを特徴とする空気調和機。
【請求項５】
請求項１乃至４の何れかにおいて、前記送風機の中心から前記送風機の直径の１.０５倍以上の範囲に、前記第１風向板ユニット及び前記第２風向板ユニットの羽根の上流側端部が位置するように、前記第１風向板ユニット及び前記第２風向板ユニットが配置されたことを特徴とする空気調和機。
【請求項６】
請求項１乃至４の何れかにおいて、前記第１風向板ユニット及び前記第２風向板ユニットの羽根の上流側が曲線のみで形成された凹凸形状であって、
前記送風機の中心から前記送風機の直径の１.０５倍〜１.３０倍の範囲に、前記第１風向板ユニット及び前記第２風向板ユニットの羽根の上流側端部が位置するように、前記第１風向板ユニット及び前記第２風向板ユニットが配置されたことを特徴とする空気調和機。
【請求項７】
請求項１乃至６の何れかにおいて、前記風向板の端部である羽根の長さは、前記風向板の端部でない羽根の長さよりも短いことを特徴とする空気調和機。
【請求項８】
請求項１乃至６の何れかにおいて、前記風向板の端部は、１つの回転軸に対して１枚の羽根を備える風向板ユニットにより構成されることを特徴とする空気調和機。
【請求項９】
請求項１乃至８の何れかにおいて、前記風向板は複数のグループに分割され、それぞれのグループ毎に独立して左右方向に吹き分けを行うことができることを特徴とする空気調和機。
【請求項１０】
請求項１乃至９の何れかにおいて、前記第１風向板ユニット及び前記第２風向板ユニットは、１つの回転軸に対して２枚の羽根を備えることを特徴とする空気調和機。
【発明の詳細な説明】
【技術分野】
【０００１】
本発明は、左右方向に風向を制御する風向板を備えた空気調和機に関する。
【背景技術】
【０００２】
左右方向の風向制御では、室内ユニットの吹出口に水平方向へ複数の風向板を設置し、風向板の水平方向の角度を制御することにより目標とする方向へ風を吹き出す。従来技術として、上流側と下流側で二列に風向板を配置することで風向制御を行うものがある（例えば、特許文献１参照）。風上側風向板及び風下側風向板と台座とを用いて風向を制御することにより、吹出口から放出する気流をスムーズに偏向することができ、大きく偏向させた場合でも圧力損失が少なく風量の低下を抑制することができる。
【０００３】
【特許文献１】特開２００７−１２０８５８号公報
【発明の開示】
【発明が解決しようとする課題】
【０００４】
特許文献１では、上流側と下流側にそれぞれ風上側風向板と風下側風向板とを配置するため、室内ユニット吐出口におけるスペースの確保が課題となる。また、上流側と下流側に千鳥状に配置された風上側風向板と風下側風向板のそれぞれの羽根毎に軸心を備えるので、これらの羽根を支える軸心により通風抵抗が増大してしまう。またこれらの羽根と羽根を支える台座とを制御して左右方向への風向制御を行うので、機構及び制御が複雑となる。
【０００５】
本発明は、上記課題を解決するものであり、省スペース且つ簡易な構造で風向制御の性能を向上させた空気調和機を提供することを課題とする。
【課題を解決するための手段】
【０００６】
上記課題を解決するために本発明に係る空気調和機は、風を送り出す送風機と、送り出される風を左右方向に風向制御する風向板と、を備えた空気調和機であって、風向板は、少なくとも、一軸に対して複数の羽根を備える第１風向板ユニットと第２風向板ユニットとを備え、送り出される風を左右方向に風向制御する際に、第１風向板ユニットと第２風向板ユニットの隣り合う羽根が風向方向へ向けて一列に並ぶように構成される。
【発明の効果】
【０００７】
本発明によれば、省スペース且つ簡易な構造で風向制御の性能を向上させた空気調和機を提供することができる。
【発明を実施するための最良の形態】
【０００８】
本発明に係る空気調和機は、風を送り出す送風機と、送り出される風を左右方向に風向制御する風向板と、を備えた空気調和機であって、風向板は、少なくとも、１つの回転軸に対して複数の羽根を備える第１風向板ユニット及び第２風向板ユニットを備え、送り出される風を左右方向に風向制御する際に、第１風向板ユニットと第２風向板ユニットの隣り合う羽根が風向方向へ向けて一列に並ぶように構成される。本発明によれば、省スペース且つ簡易な構造で風向制御の性能を向上させた空気調和機を提供することができる。以下、図１〜図１２を用いて、本発明に係る空気調和機の実施例を説明する。
【実施例１】
【０００９】
本発明に係る第１の実施例を図１〜図５により説明する。本実施例は、一例として、熱交換を行う熱交換器と、風を送り出すための貫流ファンと、左右方向の風向を制御する風向板と、を室内ユニットに備えたセパレート型の空気調和機に本発明を適用した実施例である。
【００１０】
まず、図１及び図２を用いて、空気調和機の構造について説明する。図１は空気調和機の室内ユニットの全体図を示しており、正面からの室内ユニットを表している。図２は室内ユニットの側面断面図を示している。
【００１１】
室内ユニットの前面側は前面パネル１が位置し、上面側には上面グリル２が設置される。前面パネル１の上部はユニット枠３に取り付けられ、前面パネル１は上部を支点にして下部から開閉可能となっている。また、これとは別に、ルームエアコンの運転中、前面パネル１の最前面に位置している開閉用のパネルは下部を支点として上部が開口する。前面パネル１は上部をユニット枠３から取り外すことで、脱着可能である。上面グリル２もユニット枠３に取り付けられており、脱着可能となっている。室内ユニットの下面側には上下風向板１１が設置され、この上下風向板１１はケーシング９に取り付けられる。室内ユニットの風の吹出口は、上下風向板１１が回転することで開閉される。室内ユニットの外形は、これら前面パネル１，上面グリル２，ユニット枠３，上下風向板１１，ケーシング９等により構成される。
【００１２】
室内ユニットの前面パネル１と上面グリル２の直ぐ内側にプレフィルター４が位置する。プレフィルター４はユニット枠３に取り付けられ、スライドさせることでユニット枠３から脱着可能となっている。空清フィルター５が、プレフィルター４の内側であって室内ユニット前面側に設置される。空清フィルター５もユニット枠３に取り付けられ、脱着可能となっている。室内ユニットは、パイプとフィンで構成される室内熱交換器７を備える。熱交換器７は貫流ファン８を囲うように配置され、室内ユニット上部側で一箇所、前面側で二箇所の合計三箇所で区切られている。貫流ファン８の回転軸の端部はモータに連結されている。ケーシング９が貫流ファン８を挟むように配置される。ケーシング９には左右風向板回転軸１３により左右風向板１０が取り付けられる。断熱材に覆われている冷媒用銅パイプ１４が、ケーシング９近くの室内ユニット背面側に配管される。
【００１３】
次に、図３及び図４を用いて、本実施例に係る空気調和機の左右風向板の構造について説明する。図３は左右風向板の概略図である。図３は、図２に示した左右風向板回転軸１３に垂直な方向で空気調和機の室内ユニットを正面側から見た場合に主にケーシング９と左右風向板１０を表しており、送風機（貫流ファン８）から送り出される風を正面に向かって送風する際の左右風向板１０の構造を示している。尚、図３において、紙面の上から下へ向かって風が流れる。
【００１４】
左右風向板１０は、左右風向板回転軸１３に支えられた左右風向板ベース１３ａをベースとして、左側風向羽根１０ｌ及び右側風向羽根１０ｒの２枚の羽根から構成される。また、左右風向板１０は、左右風向板回転軸１３を境界として左右対象の形状である。それぞれの左右風向板１０は左右風向板ベース１３ａの下面側で左右風向板連結用部材６に連結されるとともに、複数の左右風向板１０は連動して動くように構成される。また、お互いに連動する左右風向板１０は、左右方向（室内ユニット長手方向）に一列に配置される。
【００１５】
図４は左右風向板の概略図である。図４は、図２に示した左右風向板回転軸１３に垂直な方向で空気調和機の室内ユニットを正面側から見た場合に主にケーシング９と左右風向板１０を表しており、送風機（貫流ファン８）から送り出される風を右方向に向かって送風する際の左右風向板１０の構造を示している。左右風向板１０は左右風向板回転軸１３を基点として回転し、左側風向羽根１０ｌが下流側へ、右側風向羽根１０ｒが上流側へ移動することで、隣り合う左右風向板１０の左側風向羽根１０ｌと右側風向羽根１０ｒが風の転向方向（風向方向）へ一列となる。
【００１６】
ここで、左側風向羽根１０ｌと右側風向羽根１０ｒが一列となる際の左右風向板回転軸１３の回転角度をα、左右風向板回転軸１３の間隔をＰ、図２に示している左右風向板回転軸１３に垂直な任意の断面（例えば断面Ａまたは断面Ｂ）における左側風向羽根１０ｌと右側風向羽根１０ｒの羽根長さをＬとした場合、Ｌ＜sinα×Ｐ／２とする。羽根長さＬを上記のように制限することで、左右風向板１０の隣り合う羽根が干渉することなく、同型の部品で左右風向板１０を構成することができる。従って、構造がより簡潔となり、量産化におけるコストを抑制することができる。
【００１７】
図５は空気調和機の室内ユニットの側面断面図であり、風向制御を行う際に左右風向板回転軸１３を基点として左右風向板１０を回転させた状態を示している。ここで、左右風向板回転軸１３の回転により左右風向板１０の羽根が貫流ファン８に最も接近した場合であっても、貫流ファン８の回転軸を中心としたＤ≦１.０５ｄ（ｄ：貫流ファン８の直径）の領域に左右風向板１０の羽根の上流側端部が侵入しないように、左右風向板１０を配置する。左右風向板回転軸１３の軸上から外れた位置で左側風向羽根１０ｌ及び右側風向羽根１０ｒが回転するため、回転により羽根が貫流ファン８に近い上流側へ移動し、羽根と貫流ファンが近接する。羽根と貫流ファン８が近すぎると、羽根と貫流ファン８の干渉により騒音が増大する。また、羽根と貫流ファン８が接触する可能性もある。上記のように、羽根と貫流ファン８の位置関係を保つことで、騒音の増大を抑制し、かつ、接触を防いで信頼性を高めることができる。
【００１８】
以上の構成による空気調和機の室内ユニットにおいて、主に冷房・暖房等の各運転モードでの左右方向への風向制御について説明する。前面パネル１の表示部の奥に位置する電気部品ユニットの電装部がリモコンからの運転信号を受信すると、空気調和機の運転が開始される。電装部の電光色は運転モードに合わせて変化する。従って、前面パネル１の表示部から色彩を確認することで運転モードを判断することができる。運転が開始されると、前面パネル１の開閉用パネルは下部を支点として前方に傾き、室内ユニットの上部が開口する。上下風向板１１は電気部品ユニットからの制御によって回転し、蓋をしていた室内ユニットの吹出口を開く。室内ユニットが運転信号を受信すると室外ユニットも作動する。室外ユニットから送り込まれた冷媒は冷媒用銅パイプ１４を介して熱交換器７を循環する。貫流ファン８が連結しているモータは電気部品ユニットの制御により、運転状態に合わせて回転する。貫流ファン８は、図２において右回りに回転する。貫流ファン８が回転し始めると空気は主に前面パネル１の開口部と上面グリル２から吸い込まれ、プレフィルター４を通過して室内ユニットの内部に流れ込む。プレフィルター４を通過する際に、空気に含まれる埃等が取り除かれる。さらに、プレフィルター４の内側に位置する空清フィルター５により、空気が清浄される。以上の過程を経て熱交換器７へ流入して熱交換された空気が、貫流ファン８側へ流れていく。貫流ファン８へ流れた空気は、貫流ファン８の羽根間を通過して、貫流ファン８の外径側から内径側へ向かう。貫流ファン８の内部に流れ込んだ空気は、貫流ファン８の羽根間を通過して貫流ファン８の内径側から外径側へ向かい、ケーシング９側へ流れ出る。
【００１９】
貫流ファン８から流れ出た空気は、ケーシング９の下流側に設けられた左右風向板１０及び上下風向板１１を通過し、その際に風向きが制御される。左右方向へ風向が制御される際には、複数の左右風向板回転軸１３のうち何れか一つが小型のモータ１２により回転し、併せて左右風向板１０も回転する。お互いの左右風向板１０は左右風向板連結用部材６により連結されているため、小型のモータ１２で回転された一つの左右風向板１０の回転と連動して複数の左右風向板１０もそれぞれの左右風向板回転軸１３を基点として回転する。左右風向板１０は、任意の回転角度αにおいて隣り合う左右風向板１０の左側風向羽根１０ｌと右側風向羽根１０ｒが風の転向方向（風向方向）に一列となる。上下方向へ風向が制御される際には、上下風向板１１が上下に回動する。室内ユニットの吹出口から流れ出てくる風は、左右風向板１０及び上下風向板１１により風向制御されて目標とする方向へ吹き出される。
【００２０】
本発明に係る第１の実施例の特徴とその効果について以下に説明する。空気調和機の室内ユニットに設置される左右風向板１０は、左側風向羽根１０ｌ及び右側風向羽根１０ｒの２枚の羽根を備え、左右風向板回転軸１３を境界として左右対象の形状である。それぞれの左右風向板１０は左右風向板連結用部材６に連結されてお互いに連動する。また、それぞれの左右風向板１０は左右一列に配置される。左右風向板１０は左右風向板回転軸１３を基点として回転し、左側風向羽根１０ｌが下流側へ、右側風向羽根１０ｒが上流側へ移動することで、隣り合う左右風向板１０の左側風向羽根１０ｌと右側風向羽根１０ｒが風の転向方向へ向けて一列となる。左右方向へ風向制御を行う際に隣り合う２枚の羽根が風の転向方向へ一列に並ぶことで、羽根長さが２倍になるとともに羽根枚数も削減されるため、風向制御の性能を向上（風の転向角度を拡大）させつつ損失も低減させることができる。
【００２１】
さらに、空気調和機の室内ユニットに備えられている左右風向板１０は、左側風向羽根１０ｌと右側風向羽根１０ｒが一列となる際の回転角度をα、左右風向板回転軸１３の間隔をＰ、左右風向板回転軸１３に垂直な任意の断面（例えば図２における断面Ａまたは断面Ｂ）における左側風向羽根１０ｌと右側風向羽根１０ｒの羽根長さをＬとした場合、Ｌ＜sinα×Ｐ／２とする。羽根長さＬを上記のように制限することで、左右風向板１０の隣り合う羽根が干渉することなく、同型の部品で左右風向板１０を構成することができる。従って、構造がより簡潔となり、量産化におけるコストを抑制することができる。
【００２２】
また、左右風向板回転軸１３の回転により左右風向板１０の羽根が貫流ファン８に最も接近した場合であっても、貫流ファン８の回転軸を中心としたＤ≦１.０５ｄ（ｄ：貫流ファン８の直径）の領域に左右風向板１０の羽根の上流側端部が侵入しないように、左右風向板１０を配置する。左右風向板回転軸１３の軸上から外れた位置で左側風向羽根１０ｌ及び右側風向羽根１０ｒが回転するため、回転により羽根が貫流ファン８に近い上流側へ移動し、羽根と貫流ファンが近接する。羽根と貫流ファン８が近すぎると、羽根と貫流ファン８の干渉により騒音が増大する。また、羽根と貫流ファン８が接触する可能性がある。上記のように、羽根と貫流ファン８の位置関係を保つことで、騒音の増大を抑制し、かつ、接触を防いで信頼性を高めることができる。
【００２３】
尚、本実施例においては、１つの回転軸に対して２つの羽根を備える風向板ユニットを複数備える例に説明したが、１つの回転軸に対して２つの羽根に限られず、３つ以上の羽根を有する風向板ユニットを複数備えるようにしてもよい。
【００２４】
本実施例によれば、左右方向一列の風向板で風の転向方向へ羽根が一列となるように構成できるので、室内ユニット吐出口における省スペース化を図ることができる。また、風上側風向板及び風下側風向板を上流側と下流側に千鳥状に配置する必要もないので、これらの羽根を支える軸心による通風抵抗の増加も抑制することができる。さらに、左右風向板回転軸１３の回転のみで風向を制御するので、機構及び制御が簡易である。つまり、本実施例によれば、省スペース且つ簡易な構造で風向制御の性能を向上させた空気調和機を提供することができる。
【実施例２】
【００２５】
本発明に係る第２の実施例を図６〜図１０により説明する。第２の実施例における空気調和機の基本的な構造は第１の実施例と同様である。本実施例においては、主に、第１の実施例と異なる点について説明する。
【００２６】
図６及び図７を用いて、本実施例に係る空気調和機の左右風向板の構造について説明する。図６は左右風向板の概略図である。図６は、図２に示した左右風向板回転軸１３に垂直な方向で空気調和機の室内ユニットを正面側から見た場合に主にケーシング９と左右風向板１０を表しており、送風機（貫流ファン８）から送り出される風を正面に向かって送風する際の左右風向板１０の構造を示している。尚、図６において、紙面の上から下へ向かって風が流れる。
【００２７】
空気調和機の室内ユニットに備えられる左右風向板１０は左右風向板ベース１３ａの下面側で左右風向板連結用部材６に連結されるとともに、複数の左右風向板１０は連動して動くように構成される。また、お互いに連動する左右風向板１０は、左右方向（水平方向／室内ユニット長手方向）に一列に配置される。
【００２８】
ここで、ケーシング９の吹出口の左右両端部に位置する左右風向板１０は、壁面側に設置された壁側風向羽根１０ｓの羽根長さが、壁面側に設置されていない他の風向羽根の羽根長さより短く構成される。
【００２９】
図７は左右風向板の概略図である。図７は、図２に示した左右風向板回転軸１３に垂直な方向で空気調和機の室内ユニットを正面側から見た場合に主にケーシング９と左右風向板１０を表しており、送風機（貫流ファン８）から送り出される風を右方向に向かって送風する際の左右風向板１０の構造を示している。左右風向板１０は左右風向板回転軸１３を基点として回転し、左側風向羽根１０ｌが下流側へ、右側風向羽根１０ｒが上流側へ移動することで、隣り合う左右風向板１０の左側風向羽根１０ｌと右側風向羽根１０ｒが風の転向方向へ一列となる。壁面側に設置された壁側風向羽根１０ｓの羽根長さは他の風向羽根よりも短いため、回転しても壁面と衝突することがない。
【００３０】
下流側または上流側の方向への羽根長さが長い場合、左右風向板１０の左側風向羽根１０ｌ及び右側風向羽根１０ｒはその構造から羽根先端の移動量が大きくなるため、壁面に衝突しないように壁面との距離を大きくとる必要がある。しかしながら、左右風向板１０と壁面との距離が大きくなると、羽根と壁面が衝突する向きとは逆の方向へ風向制御を行う際に、羽根と壁面との間に広い空間が生じる。この空間では風向が制御されることなく、正面へ吹き出す流れが発生する。ここで、壁面に近い壁側風向羽根１０ｓを短くして羽根長さを調整して、ケーシング９の吹出口の左右両端部との距離を適度に保つことにより、壁面近くの風向を制御することができる。これにより、風向制御の性能を向上（風の制御範囲を拡大）させることができる。
【００３１】
図８及び図９は左右風向板を示す図であり、図６及び図７とは異なる形態を示している。つまり、図８及び図９に示す左右風向板においては、ケーシング９の吹出口の左右両端部に位置する左右風向板１０は、１つの回転軸に対して１枚の羽根を備える一翼風向羽根１０ｂにより構成される。これにより、左右風向板１０と壁面の空間を補うことができ、図６及び図７と同様の効果を奏することができる。
【００３２】
図１０は左右風向板の構造を示しており、具体的には、空気調和機の室内ユニットにおける左右方向の吹分け構造を示している。左右風向板１０は、室内ユニットの左側と右側で、それぞれ別の左右風向板連結用部材６で連結されている。図中の矢印は風の流れを示しており、状況に応じて左右吹分，右吹分，左吹分等のように室内ユニット左側と右側でそれぞれ別の風向制御を行うことが可能である。つまり、左右風向板１０は複数のグループ（本実施例では２つのグループ）に分割され、それぞれのグループ毎に独立して左右方向に吹き分けることができる。
【００３３】
以上、本実施例によれば、第１の実施例と同様の効果を奏することができる。さらに、ケーシング９の吹出口の左右両端部に位置する左右風向板１０の壁面側に設置された壁側風向羽根１０ｓの羽根長さが壁面側に設置されていない他の風向羽根の羽根長さより短することにより、または、ケーシング９の吹出口の左右両端部に位置する左右風向板１０が１つの回転軸に対して１枚の羽根を備える一翼風向羽根１０ｂにより構成されることにより、壁面近くの風向を制御することができので、風向制御の性能をより向上（風の制御範囲を拡大）させることができる。また、左右風向板１０を室内ユニットの左側と右側でそれぞれ別の左右風向板連結用部材６で連結することにより、状況に応じて左右吹分，右吹分，左吹分等のように室内ユニット左側と右側でそれぞれ別の風向制御を行うことができる。
【実施例３】
【００３４】
本発明に係る第３の実施例を図１１及び図１２により説明する。第３の実施例における空気調和機の基本的な構造は第１の実施例と同様である。本実施例においては、第１の実施例と異なる点について説明する。
【００３５】
図１１は空気調和機の室内ユニットの側面断面図である。ケーシング９には左右風向板回転軸１３により凹凸形状一翼左右風向板１０ｃが取り付けられている。凹凸形状一翼左右風向板１０ｃは、左右風向板回転軸１３に一つの羽根が設置されており、羽根の上流側は曲線のみで形成された凹凸形状となっている。ここで、風向制御を行うために凹凸形状一翼左右風向板１０ｃが回転したとしても、貫流ファン８の回転軸を中心とした１.０５ｄ≦Ｄ≦１.３０ｄ（ｄ：貫流ファン８の直径）の領域に、凹凸形状一翼左右風向板１０ｃの上流側端部が位置するように構成する。
【００３６】
凹凸形状一翼左右風向板１０ｃの上流側の凹凸形状は、羽根を上流側へ拡大しても風向性能を向上させつつ損失を低減することを目的としているが、形状を工夫して貫流ファン８と適当な位置関係を保つ必要がある。鋭角を含む凹凸形状とすると、貫流ファン８から吹き出してきた速い風の流れにより鋭角部を起点として風きり音が発生する可能性がある。凹凸形状を曲線のみで形成することで、風きり音の発生を抑制することができる。また、凹凸形状一翼左右風向板１０ｃが貫流ファン８に近づきすぎると、貫流ファン８から吹き出してきた速い風の流れと羽根との干渉が強すぎるため、損失と騒音が増大する可能性がある。逆に羽根が貫流ファン８から離れすぎると、貫流ファン８から吹き出してきた風の流れは穏やかになっているため、凹凸形状の有無に関係なく風向性能と損失は変化することがない。凹凸形状を適切な位置に設置することで（貫流ファン８の回転軸を中心とした１.０５ｄ≦Ｄ≦１.３０ｄ（ｄ：貫流ファン８の直径）の領域に凹凸形状一翼左右風向板１０ｃの上流側の凹凸形状が位置するように構成することで）、羽根の拡大による風向性能を向上（風の転向角度の拡大）させるとともに、損失を低減することができる。
【００３７】
尚、本実施例における凹凸形状一翼左右風向板１０ｃの構造は、左右風向板回転軸１３に一つの羽根が設置されている風向板に限らず、実施例１及び２と同様に、左右風向板回転軸１３に複数の羽根が設置されている風向板に適用することもできる。図１２は空気調和機の室内ユニットの側面断面図を示しており、実施例１及び２と同様に、二つの羽根で一組の凹凸形状左右風向板１０ｄとし、風向制御を行う際に上流側と下流側で隣り合う羽根が一列となるように構成されている。これによれば、実施例１及び２と同様の効果を奏するとともに、上述の凹凸形状一翼左右風向板１０ｃの効果をも奏することができる。
【図面の簡単な説明】
【００３８】
【図１】空気調和機の室内ユニットの全体図。
【図２】空気調和機の室内ユニットの側面断面図。
【図３】左右風向板の概略図。
【図４】左右風向板の概略図。
【図５】空気調和機の室内ユニットの側面断面図。
【図６】左右風向板の概略図。
【図７】左右風向板の概略図。
【図８】左右風向板の概略図。
【図９】左右風向板の概略図。
【図１０】左右風向板の概略図。
【図１１】空気調和機の室内ユニットの側面断面図。
【図１２】空気調和機の室内ユニットの側面断面図。
【符号の説明】
【００３９】
１  前面パネル
２  上面グリル
３  ユニット枠
４  プレフィルター
５  空清フィルター
６  左右風向板連結用部材
７  熱交換器
８  貫流ファン
９  ケーシング
１０  左右風向板
１０ｂ  一翼風向羽根
１０ｃ  凹凸形状一翼左右風向板
１０ｄ  凹凸形状左右風向板
１０ｌ  左側風向羽根
１０ｒ  右側風向羽根
１０ｓ  壁側風向羽根
１１  上下風向板
１２  モータ
１３  左右風向板回転軸
１３ａ  左右風向板ベース
１４  冷媒用銅パイプ
【図１】
2010085070.tif 000003
【図２】
2010085070.tif 000004
【図３】
2010085070.tif 000005
【図４】
2010085070.tif 000006
【図５】
2010085070.tif 000007
【図６】
2010085070.tif 000008
【図７】
2010085070.tif 000009
【図８】
2010085070.tif 000010
【図９】
2010085070.tif 000011
【図１０】
2010085070.tif 000012
【図１１】
2010085070.tif 000013
【図１２】
2010085070.tif 000014